(57)【要約】【課題】腹筋運動及び金魚運動を、体勢を変えずに一つの器具で行うことを可能とする、金魚運動器取付型の腹筋鍛錬用足掛具及び足掛具付金魚運動器を提供する。【解決手段】取付用孔２，…が穿設された略平板状の支持板１と、支持板１に略平行な足支え水平部４と、足支え水平部４の両端から下方に垂設され、下端付近が支持板１に着脱自在に止着された足支え脚部５，５を有する金魚運動器取付型の腹筋鍛錬用足掛具である。また、当該金魚運動器取付型の腹筋鍛錬用足掛具を具えた、足掛具付金魚運動器である。【選択図】図１
0003154313.tif 000002
【実用新案登録請求の範囲】
【請求項１】
二以上の取付用孔が穿設された略平板状の支持板と、
支持板に略平行な足支え水平部と、
足支え水平部の両端から下方に垂設され、下端付近が支持板に着脱自在に止着された足支え脚部とを有することを特徴とする金魚運動器取付型の腹筋鍛錬用足掛具。
【請求項２】
足支え脚部が、足支え水平部の両端を下方に湾曲して設けられていて、
足支え水平部及び足支え脚部が、略円柱形状に形成されてなることを特徴とする請求項１に記載の金魚運動器取付型の腹筋鍛錬用足掛具。
【請求項３】
足支え脚部の間隔と、金魚運動器の横幅との差が、１５ｃｍ以上３０ｃｍ以下であることを特徴とする請求項１又は２に記載の金魚運動器取付型の腹筋鍛錬用足掛具。
【請求項４】
足支え水平部の少なくともその中央部を含む部分に緩衝材が巻装されてなることを特徴とする請求項１乃至３の何れか１項に記載の金魚運動器取付型の腹筋鍛錬用足掛具。
【請求項５】
請求項１乃至４の何れか１項に記載の金魚運動器取付型の腹筋鍛錬用足掛具を具えた足掛具付金魚運動器。
【考案の詳細な説明】
【技術分野】
【０００１】
本考案は、金魚運動器取付型の腹筋鍛錬用足掛具、及び足掛具付金魚運動器に関する。
【背景技術】
【０００２】
腹筋運動は、健康維持やメタボリックシンドローム対策等のために行われる運動の中でも一般的な運動であって、それを手軽に行える、種々の腹筋鍛錬用具が知られている。腹筋鍛錬用具と他の運動機器等を組み合わせた考案もなされている。
【０００３】
例えば、足踏みペダルにより回転するフライホイールとプーリとに負荷ベルトを架け渡し、負荷ベルトとフライホイールとの摩擦力がペダルに負荷として加わる足踏み式自転車型健康機において、該健康機の下方に位置して腹筋運動用鍛錬具としての足押さえ部を、水平方向に併設したことを特徴とする自転車型健康機が開示されている（例えば、特許文献１参照）。
【０００４】
一方、従来から「金魚運動」と呼ばれる足振り運動を行うための健康器具が知られている。
例えば、筺体と、上記筺体の上部に設置され足が載置されるとともに水平方向に往復動可能に構成された足載台と、上記筺体内に内装され上記足載台を水平方向に往復動させる足載台駆動手段と、を具備し、上記足載台駆動手段は、上記足載台の下方において足載台の往復動方向にその軸方向を沿わせて載置された駆動モーターと、上記駆動モーターの出力軸に固着された回転カム体と、上記足載台側より突出・配置され上記回転カム体のカム溝に移動可能な状態で係合するガイドローラと、から構成されていることを特徴とする健康器具が開示されている（特許文献２参照）。
このように、使用者が仰臥位になり両足首付近を足載せ台に載せて用いられるもので、前記足載せ台が往復運動する装置を、以下金魚運動器と称する。
【先行技術文献】
【特許文献】
【０００５】
【特許文献１】実開平５−６２２７６号公報
【特許文献２】特開２００９−９００５７号公報
【考案の概要】
【考案が解決しようとする課題】
【０００６】
しかしながら、上記特許文献１に記載される運動器具は、腹筋運動と足踏み運動の二種類の運動を可能とするが、前者から後者、又は後者から前者の運動に移行する際、体勢を大きく変えなければならず、面倒である。
【０００７】
また、上記特許文献２には、金魚運動以外の運動を行うことについては、何ら開示がない。
【０００８】
上記の問題に対して、本考案は、腹筋運動及び金魚運動を、体勢を変えずに一つの機器で行うことを可能とする、金魚運動器取付型の腹筋鍛錬用足掛具及び足掛具付金魚運動器を提供することを課題とする。また、取り付けが容易で、安全に使用できる金魚運動器取付型の腹筋鍛錬用足掛具を提供することを課題とする。
【課題を解決するための手段】
【０００９】
上記課題を解決するための第１の考案は、
二以上の取付用孔が穿設された略平板状の支持板と、
支持板に略平行な足支え水平部と、
足支え水平部の両端から下方に垂設され、下端付近が支持板に着脱自在に止着された足支え脚部を有する金魚運動器取付型の腹筋鍛錬用足掛具である。
【００１０】
第２の考案は、
足支え脚部が、足支え水平部の両端を下方に湾曲して設けられていて、
足支え水平部及び足支え脚部が、略円柱形状に形成されてなる第１の考案に係る金魚運動器取付型の腹筋鍛錬用足掛具である。
【００１１】
第３の考案は、
足支え脚部の間隔と、金魚運動器の横幅との差が、１５ｃｍ以上３０ｃｍ以下である第１又は第２の考案に係る金魚運動器取付型の腹筋鍛錬用足掛具である。
【００１２】
第４の考案は、
足支え水平部の少なくともその中央部を含む部分に、緩衝材が巻装されてなる第１乃至第３の考案の何れかに係る金魚運動器取付型の腹筋鍛錬用足掛具である。
【００１３】
第５の考案は、
第１乃至第４の考案の何れかに係る金魚運動器取付型の腹筋鍛錬用足掛具を具えた足掛具付金魚運動器である。
【考案の効果】
【００１４】
第１の考案によれば、金魚運動及び腹筋運動が体勢を変えずに同じ姿勢でできるので、両運動間の移行が容易であり、二種類の運動をすることでトレーニング効果が上がり、健康維持に役立つ。
【００１５】
支持板を金魚運動器の下端面に当接した後、取付用孔及び金魚運動器の穿孔に挿通された螺子等の止着材で止着するのみで、本考案を金魚運動器に容易に取り付けることができる。
【００１６】
第２の考案によれば、足支え脚部が、足支え水平部の両端を下方に湾曲して設けられていて、足支え水平部及び足支え脚部が略円柱状に形成されているので、足支え脚部と足支え水平部が尖鋭な稜や角を持たず、誤って体が足支え水平部及び足支え脚部と接触したとしても、怪我をする危険性が少ない。
【００１７】
第３の考案によれば、金魚運動時に、誤って金魚運動器の足載せ部分から足が落下したとしても、足支え脚部と金魚運動器との間に、十分なスペースがあるため、足が挟まって怪我をする虞が無い。また、腹筋鍛錬用足掛具の大型化が回避されるので、広い設置スペースを要しない。
【００１８】
第４の考案によれば、足と足支え水平部が接触する部分に緩衝材が巻装されていることによって、腹筋運動時の接触による痛みを和らげることができる。
【００１９】
第５の考案に係る足掛具付金魚運動器は、上記した効果を発揮する。
【図面の簡単な説明】
【００２０】
【図１】実施例１の金魚運動器取付型の腹筋鍛錬用足掛具を示す分解斜視図である。
【図２】実施例１の金魚運動器取付型の腹筋鍛錬用足掛具を示す底面図である。
【図３】実施例２の金魚運動器取付型の腹筋鍛錬用足掛具を示す図面で、（ａ）は底面図であり、（ｂ）は支持板の斜視図である。
【図４】実施例３の足掛具付金魚運動器を示す全体斜視図である。
【図５】実施例３の足掛具付金魚運動器の使用状態を示す側面図である。
【図６】実施例４の足掛具付金魚運動器を示す全体斜視図である。
【考案を実施するための形態】
【００２１】
以下に、本考案を実施するための形態を、実施例を示す図面を参照して詳細に説明する。尚、これらの実施例に、本考案は限定されるものではない。
【実施例１】
【００２２】
本考案に係る腹筋鍛錬用足掛具は、図１に示されるように、取付用孔２，…が穿設された略平板状の支持板１と、
支持板１に略平行な足支え水平部４と、
足支え水平部４の両端から下方に垂設され、下端付近が支持板１に着脱自在に取り付けられた足支え脚部５，５とを有する。
【００２３】
支持板１は、ステンレス鋼を用いて、略矩形状に形成された部材である。その長手方向の中間部には、４箇所の突出部１ａ，…が短手方向に突設されていて、各突出部１ａには取付用孔２が穿設されている。
支持板１の材質は、剛性を有する金属であれば必ずしもステンレス鋼に限られず、鉄，炭素鋼，ステンレス鋼，銅，真鍮等の剛性を有する金属、ポリエチレン，ポリプロピレンポリメタクリル酸エステル等の合成樹脂、木材その他任意の材質を用いることができるが、加工成形容易で堅牢性に優れ、長期の使用に耐え得るステンレス鋼又は防錆処理加工された金属を用いることが好ましい。
支持板１のサイズは特に限定されないが、腹筋運動時に、腹筋鍛錬用足掛具及び金魚運動器が浮き上がることを回避するため、材料の密度を勘案して充分な重量を与えるサイズとする。
支持板１の長手方向の幅は、金魚運動器１０の幅よりも広くされていて、支持板１を金魚運動器１０に取り付けた際に突出する左右両端付近には、各足支え脚部５を止着するための止着用孔３，３が穿設されている。
支持板１の形状は、金魚運動器１０の下端面に該金魚運動器１０の動作を妨げないように取り付けられればよく、必ずしも、上記形状に限定されない。また、止着用孔３，…の数は、支持板１と足支え脚部５とが安定に止着できれば特に限定されない。
【００２４】
取付用孔２，…は、金魚運動器に本考案を取り付けるための孔であって、金魚運動器の穿孔に対応する位置に穿設され、その内周面は雌螺子加工されている。一般に市販の金魚運動器の下端面には、内部モーター等を固定するための４以上の穿孔が設けられて、螺子が螺合されている。当該穿孔に対応する位置に、取付用孔２，…を穿設すると、金魚運動器に新たな穿孔を設ける必要がない。
【００２５】
支持板１は、金魚運動器の足載せ台１０ａの真下に配置されるが、当該足載せ台１０ａの真下に前記穿孔が無いときには、突出部１ａ，…を設けて取付用孔２，…を穿設する。
【００２６】
突出部１ａ，…及び取付用孔２，…の数は、本考案を安定に取り付けられれば必ずしも４箇所に限られず、２箇所以上の任意数であれば良い。
また、必ずしも各突出部１ａに１箇所の取付用孔２が穿設されていることに限られず、２箇所以上の取付用孔２，…が穿設されていても良い。
支持板１と金魚運動器１０を螺着する際、支持板１と金魚運動器１０との間に座金等を挟み込ませても良い。
金魚運動器１０に支持板１を取り付けるための止着材は、安定に取り付けられれば必ずしも螺子に限られず、例えば、取付用孔２，…及び金魚運動器１０の穿孔に緊嵌されたピンであっても良い。
【００２７】
足支え水平部４及び足支え脚部５，５は一体として、略円柱形状のステンレス鋼材で作製されている。足支え水平部４及び足支え脚部５，５の材質は、剛性を有する金属であれば必ずしもステンレス鋼に限られず、鉄，炭素鋼，ステンレス鋼，銅，真鍮等の剛性を有する金属、ポリエチレン，ポリプロピレンポリメタクリル酸エステル等の合成樹脂、木材その他任意の材質を用いることができるが、加工成型容易で堅牢性に優れ、長期の使用に耐え得るステンレス鋼又は防錆処理加工された金属を用いることが好ましい。
また、足支え脚部４及び足支え水平部５，５のサイズは特に限定されないが、腹筋運動時に、腹筋鍛錬用足掛具及び金魚運動器が浮上がることを回避するため、材料の密度を勘案して充分な重量を与えるサイズとする。
足支え水平部４と足支え脚部５，５は、一体として、略コの字状に形成されている。足支え脚部５，５の下端は内方に屈曲されており、当該屈曲された部分には、支持板１に試着するための止着用孔６，…が設けられている。
【００２８】
足支え脚部５，５と支持板１は、止着用孔６，…と止着用孔３，…を挿通し、袋ナット８と螺合された皿螺子９で止着されている。足支え脚部５，５と支持板１が安定に止着できれば、必ずしも袋ナット８と皿螺子９に限らず、ピンや任意形状の螺子等その他の止着材を用いることもできるが、足等が接触しても怪我をしないように、袋ナットに螺合された皿螺子を止着材として用いることが望ましい。
【００２９】
足支え脚部５，５の間隔と、金魚運動器１０の横幅との差は、特に限定されないが、１５ｃｍ以上３０ｃｍ以下であることが好ましい。当該差が１５ｃｍ未満である場合、金魚運動時に誤って足載せ台１０ａから足１１が落下すると、足支え脚部５，５と金魚運動器１０との間に足１１が入るだけの十分なスペースがないため、怪我をする危険があるからである。また、前記の差が、３０ｃｍより大きい場合、腹筋鍛錬用足掛具が大型化し、広い設置スペースを要するため不便だからである。
【００３０】
緩衝材７は、ウレタンフォームで作製され、両端が開口した筒状の部材であり、足支え水平部４の中央を含む部分に巻装されている。緩衝材７の材質は、弾性と耐摩耗性を有する材質であれば必ずしもウレタンフォームに限られず、合成ゴム等の任意の材質を用いることができる。また、緩衝材７は、ポリエチレン等で被覆されていても良い。
【実施例２】
【００３１】
以下、本考案の別の実施例について説明するが、実施例１と同一部分には同一符号を付して、詳細な説明は省略する。
【００３２】
実施例２の腹筋鍛錬用足掛具は、取付用孔２，…が穿設された略平板状の支持板１’と、
支持板１に略平行な足支え水平部４と、
足支え水平部４の両端から下方に垂設され、下端付近が支持板１’に着脱自在に取り付けられた足支え脚部５，５とを有する。
【００３３】
支持板１’は、ステンレス鋼を用いて略矩形状に形成された部材であって、突出部１ａ，…が省略されており、取付用孔２，２が支持板１’の短手方向略中央部に穿設されている。実施例１と同様に、止着材を用いて足支え脚部５，５に止着され、腹筋鍛錬用足掛具を構成する。
実施例２の金魚運動機器取付型の腹筋鍛錬用足掛具は、足載台１０ａの真下に内部モーター等を固定するための穿孔を有する金魚運動器に取り付けるのに適する。
【実施例３】
【００３４】
次に、本考案の足掛具付金魚運動器について説明する。尚、実施例１及び実施例２と同一部分には同一符号を付して、詳細な説明は省略する。
【００３５】
実施例３の足掛具付金魚運動器は、支持板１の取付用孔２，…と金魚運動器１０の穿孔を挿通する螺子で螺着することにより、実施例１の腹筋鍛錬用足掛具が金魚運動器１０に取り付けられて作製されている。図４及び図５においては、金魚運動器１０として、スカイライトコーポレーション株式会社製の家庭用運動機器”うれっこリラックス”（登録商標；型式  ＳＰ−５５５）を用いているが、金魚運動器の種類をこれに限定するものではない。
【００３６】
本実施例の足掛具付金魚運動器は、足支え水平部４が足載台１０ａの真上に配置されていて、図５に示される様に腹筋運動に適した形状を有している。また、当該足掛具付金魚運動器によれば、同一の体勢で腹筋運動と金魚運動ができ、両運動間の移行をスムーズに行える。
【実施例４】
【００３７】
以下、足掛具付金魚運動器の別の実施形態について説明するが、実施例１乃至実施例３と同一部分には同一符号を付して、詳細な説明は省略する。
【００３８】
実施例４の足掛具付金魚運動器は、支持板１’の取付用孔２，…と金魚運動器１０’の穿孔を挿通する螺子で螺着することにより、実施例２の腹筋鍛錬用足掛具が金魚運動器１０’に取り付けられて作製されている。図６においては、金魚運動器１０’として、スカイライトコーポレーション株式会社製の家庭用運動機器”うれっこ”（登録商標；型式  ＳＭ−３３０）を用いているが、金魚運動器の種類をこれに限定するものではない。
【００３９】
本実施例の足掛具付金魚運動器は、実施例３と同様に、足支え水平部４が足載台１０ａ’の真上に配置されていて、腹筋運動に適した形状を有している。また、当該足掛具付金魚運動器によれば、同一の体勢で腹筋運動と金魚運動ができ、両運動間の移行をスムーズに行うことができる。
【符号の説明】
【００４０】
１，１’  支持板
１ａ  突出部
２  取付用孔
３，６  止着用孔
４  足支え水平部
５  足支え脚部
７  緩衝材
８  袋ナット
９  皿螺子
１０，１０’  金魚運動器
１０ａ，１０ａ’  足載台
１１  足
【図１】
0003154313.tif 000003
【図２】
0003154313.tif 000004
【図３】
0003154313.tif 000005
【図４】
0003154313.tif 000006
【図５】
0003154313.tif 000007
【図６】
0003154313.tif 000008